(57)【要約】【課題】従来、ガイドブック情報を用いて観光地等の情報を提案できなかった。【解決手段】旅行または観光に関するガイドブック情報を受け付ける受付部と、ガイドブック情報からオブジェクトを示すオブジェクト情報または領域を示す領域情報である１以上のキー情報を抽出するキー情報抽出部と、１以上のキー情報を用いて、ガイドブック情報を補充する元になる情報である補充元情報を取得する補充元情報取得部と、補充元情報を出力する補充元情報出力部とを具備するガイド情報提案装置により、ガイドブック情報を用いて観光地等の情報を提案できる。【選択図】図１
2018025886.tif 000002
【特許請求の範囲】
【請求項１】
旅行または観光に関するガイドブック情報を受け付ける受付部と、
前記ガイドブック情報からオブジェクトを示すオブジェクト情報または領域を示す領域情報である１以上のキー情報を抽出するキー情報抽出部と、
前記１以上のキー情報を用いて、ガイドブック情報を補充する元になる情報である補充元情報を取得する補充元情報取得部と、
前記補充元情報を出力する補充元情報出力部とを具備するガイド情報提案装置。
【請求項２】
前記補充元情報取得部は、
前記１以上のキー情報に対応する操作可能な地図情報を取得し、
前記補充元情報出力部は、
前記地図情報を出力する請求項１記載のガイド情報提案装置。
【請求項３】
前記ガイドブック情報を出力するガイドブック情報出力部をさらに具備し、
前記補充元情報出力部は、
前記ガイドブック情報に重畳させて前記地図情報を出力する請求項２記載のガイド情報提案装置。
【請求項４】
前記補充元情報取得部は、
前記１以上のキー情報である１以上のオブジェクト情報または１以上の領域情報がすべて含まれる領域の地図の地図情報を取得し、
前記補充元情報出力部は、
前記地図情報を出力する請求項２または請求項３記載のガイド情報提案装置。
【請求項５】
前記補充元情報に対するユーザの１以上の操作を受け付ける操作受付部と、
前記１以上の操作に基づいて、前記補充元情報から１以上のオブジェクト情報を取得する注目オブジェクト取得部と、
前記注目オブジェクト取得部が取得した１以上のオブジェクト情報をキーとして検索し、ガイドブックを補充する１以上の補充情報を取得する補充情報取得部と、
前記１以上の補充情報を出力する補充情報出力部とをさらに具備する請求項１から請求項４いずれか一項に記載のガイド情報提案装置。
【請求項６】
前記補充元情報に対する２以上の操作である操作列のパターンである１以上のチャンクが格納されるチャンク格納部をさらに具備し、
前記注目オブジェクト取得部は、
前記操作受付部が受け付けた２以上の操作情報がマッチする操作チャンクを検出する操作チャンク検出手段と、
前記操作チャンク検出手段が前記操作チャンクを検出した場合に、出力されている補充元情報に含まれる１以上のオブジェクト情報のうち、予め決められた条件を満たす１以上のオブジェクト情報を取得する注目オブジェクト取得手段とを具備し、
前記補充情報取得部は、
前記注目オブジェクト取得手段が取得した１以上のオブジェクト情報をキーとして検索し、ガイドブックを補充する１以上の補充情報を取得する請求項５記載のガイド情報提案装置。
【請求項７】
前記補充情報取得部が取得した１以上の補充情報に対する、ユーザの選択を受け付ける選択受付部をさらに具備し、
前記補充情報取得部は、
前記選択受付部が受け付けた選択に対応する１以上の補充情報を取得する請求項５または請求項６記載のガイド情報提案装置。
【請求項８】
前記補充情報取得部は、
前記１以上のオブジェクト情報をキーとしてウェブ検索を行い、ウェブページである１以上の補充情報を取得する請求項５から請求項７いずれか一項に記載のガイド情報提案装置。
【請求項９】
前記補充元情報取得部は、
オブジェクトを示すオブジェクト情報と当該オブジェクトの位置を示す位置情報とオブジェクトの種類を示す種類情報とを有する１以上のオブジェクト総合情報を有する地図情報から、前記１以上のキー情報に対応する操作可能な地図情報を取得し、
交通手段を識別する交通手段識別子と１以上の種類情報との組である１以上の交通手段判断情報が格納される交通手段格納部と、
前記注目オブジェクト取得手段が取得した１以上のオブジェクト情報に対応する１以上の種類情報、または前記キー情報抽出部が抽出した１以上のキー情報に対応する１以上の種類情報、と対になる交通手段識別子を取得する交通手段取得部とをさらに具備し、
前記補充情報取得部は、
前記交通手段識別子をも用いて、１以上の補充情報を取得する請求項５から請求項８いずれか一項に記載のガイド情報提案装置。
【請求項１０】
前記受付部は、
ガイドブックをスキャンすることにより、ガイドブック情報を受け付ける請求項１から請求項９いずれか一項に記載のガイド情報提案装置。
【請求項１１】
前記補充元情報取得部、または前記補充情報出力部は、
前記１以上の補充元情報、または前記１以上の補充情報を印刷する請求項１から請求項１０いずれか一項に記載のガイド情報提案装置。
【請求項１２】
コンピュータを、
旅行または観光に関するガイドブック情報を受け付ける受付部と、
前記ガイドブック情報からオブジェクトを示すオブジェクト情報または領域を示す領域情報である１以上のキー情報を抽出するキー情報抽出部と、
前記１以上のキー情報を用いて、ガイドブック情報を補充する元になる情報である補充元情報を取得する補充元情報取得部と、
前記補充元情報を出力する補充元情報出力部として機能させるためのプログラム。
【発明の詳細な説明】
【技術分野】
【０００１】
本発明は、ガイド情報を提案するガイド情報提案装置等に関するものである。
【背景技術】
【０００２】
従来、旅行前又は旅行中に旅行者に適したガイドブックを旅行者に提供する情報処理システムがあった（例えば、特許文献１参照）。本情報処理システムは、端末と通信可能であり、端末において表示又は印刷されるガイドブックのガイドブックデータを生成する第１のサーバと、第１のサーバと通信可能であり、ガイドブックデータの生成のために参照される参照情報を提供する１以上の第２のサーバとを有する情報処理システムであって、第１のサーバが、旅行者が企画する旅行に関する基本情報と前記旅行者の特徴を示す特徴情報とを端末から受信するサーバ受信部と、端末から受信した基本情報及び特徴情報と、１以上の第２のサーバから取得した参照情報とに基づいて、旅行のプランであって旅行者に適した１以上の旅行プランを作成し、作成した１以上の旅行プランのそれぞれを示すガイドブックのガイドブックデータを生成するガイドブックデータ生成部と、生成したガイドブックデータを端末へ送信するサーバ送信部とを有する情報処理システムである。
【０００３】
また、旅行者は旅行する際にはガイドブックや地図を準備することが多い。また、近年では、インターネットやスマートフォンで情報を収集した後、旅行することも多くなっている。
【先行技術文献】
【特許文献】
【０００４】
【特許文献１】特開２０１５−１６２１４２号公報
【発明の概要】
【発明が解決しようとする課題】
【０００５】
しかしながら、従来技術においては、ガイドブック情報から、観光地等の情報を提案できなかった。
【０００６】
そこで、本発明は、ガイドブック情報を用いて観光地等の情報を提案できる装置を提供することを目的とする。
【課題を解決するための手段】
【０００７】
本第一の発明のガイド情報提案装置は、旅行または観光に関するガイドブック情報を受け付ける受付部と、ガイドブック情報からオブジェクトを示すオブジェクト情報または領域を示す領域情報である１以上のキー情報を抽出するキー情報抽出部と、１以上のキー情報を用いて、ガイドブック情報を補充する元になる情報である補充元情報を取得する補充元情報取得部と、補充元情報を出力する補充元情報出力部とを具備するガイド情報提案装置である。
【０００８】
かかる構成により、ガイドブック情報からガイドブック情報を補充する元になる情報である補充元情報を出力できる。
【０００９】
また、本第二の発明のガイド情報提案装置は、第一の発明に対して、補充元情報取得部は、１以上のキー情報に対応する操作可能な地図情報を取得し、補充元情報出力部は、地図情報を出力するガイド情報提案装置である。
【００１０】
かかる構成により、ガイドブック情報から操作可能な地図情報を出力できる。
【００１１】
また、本第三の発明のガイド情報提案装置は、第二の発明に対して、ガイドブック情報を出力するガイドブック情報出力部をさらに具備し、補充元情報出力部は、ガイドブック情報に重畳させて地図情報を出力するガイド情報提案装置である。
【００１２】
かかる構成により、ガイドブック情報を地図情報に重畳させて出力できる。
【００１３】
また、本第四の発明のガイド情報提案装置は、第二または第三の発明に対して、補充元情報取得部は、１以上のキー情報である１以上のオブジェクト情報または１以上の領域情報がすべて含まれる領域の地図の地図情報を取得し、補充元情報出力部は、地図情報を出力するガイド情報提案装置である。
【００１４】
かかる構成により、ガイドブック情報から地図情報を出力できる。
【００１５】
また、本第五の発明のガイド情報提案装置は、第一から第四いずれか１つの発明に対して、補充元情報に対するユーザの１以上の操作を受け付ける操作受付部と、１以上の操作に基づいて、補充元情報から１以上のオブジェクト情報を取得する注目オブジェクト取得部と、注目オブジェクト取得部が取得した１以上のオブジェクト情報をキーとして検索し、ガイドブックを補充する１以上の補充情報を取得する補充情報取得部と、１以上の補充情報を出力する補充情報出力部とをさらに具備するガイド情報提案装置である。
【００１６】
かかる構成により、ユーザ操作に基づいて、ガイドブック情報を補充する補充情報を出力できる。
【００１７】
また、本第六の発明のガイド情報提案装置は、第五の発明に対して、補充元情報に対する２以上の操作である操作列のパターンである１以上のチャンクが格納されるチャンク格納部をさらに具備し、注目オブジェクト取得部は、操作受付部が受け付けた２以上の操作情報がマッチする操作チャンクを検出する操作チャンク検出手段と、操作チャンク検出手段が操作チャンクを検出した場合に、出力されている補充元情報に含まれる１以上のオブジェクト情報のうち、予め決められた条件を満たす１以上のオブジェクト情報を取得する注目オブジェクト取得手段とを具備し、補充情報取得部は、注目オブジェクト取得手段が取得した１以上のオブジェクト情報をキーとして検索し、ガイドブックを補充する１以上の補充情報を取得するガイド情報提案装置である。
【００１８】
かかる構成により、ユーザ操作に基づいて、ガイドブック情報を補充する補充情報を出力できる。
【００１９】
また、本第七の発明のガイド情報提案装置は、第五または第六の発明に対して、補充情報取得部が取得した１以上の補充情報に対する、ユーザの選択を受け付ける選択受付部をさらに具備し、補充情報取得部は、選択受付部が受け付けた選択に対応する１以上の補充情報を取得するガイド情報提案装置である。
【００２０】
かかる構成により、ユーザ操作に基づいて、ガイドブック情報を補充する補充情報を出力できる。
【００２１】
また、本第八の発明のガイド情報提案装置は、第五から第七いずれか１つの発明に対して、補充情報取得部は、１以上のオブジェクト情報をキーとしてウェブ検索を行い、ウェブページである１以上の補充情報を取得するガイド情報提案装置である。
【００２２】
かかる構成により、ユーザ操作に基づいて、ガイドブック情報を補充するウェブページを出力できる。
【００２３】
また、本第九の発明のガイド情報提案装置は、第五から第八いずれか１つの発明に対して、補充元情報取得部は、オブジェクトを示すオブジェクト情報とオブジェクトの位置を示す位置情報とオブジェクトの種類を示す種類情報とを有する１以上のオブジェクト総合情報を有する地図情報から、１以上のキー情報に対応する操作可能な地図情報を取得し、交通手段を識別する交通手段識別子と１以上の種類情報との組である１以上の交通手段判断情報が格納される交通手段格納部と、注目オブジェクト取得手段が取得した１以上のオブジェクト情報に対応する１以上の種類情報、またはキー情報抽出部が抽出した１以上のキー情報に対応する１以上の種類情報、と対になる交通手段識別子を取得する交通手段取得部とをさらに具備し、補充情報取得部は、交通手段識別子をも用いて、１以上の補充情報を取得するガイド情報提案装置である。
【００２４】
かかる構成により、交通手段の情報も考慮した補充情報を出力できる。
【００２５】
また、本第十の発明のガイド情報提案装置は、第一から第九いずれか１つの発明に対して、受付部は、ガイドブックをスキャンすることにより、ガイドブック情報を受け付けるガイド情報提案装置である。
【００２６】
かかる構成により、スキャンされたガイドブック情報を利用できる。
【００２７】
また、本第十一の発明のガイド情報提案装置は、第一から第十いずれか１つの発明に対して、補充元情報取得部、または補充情報出力部は、１以上の補充元情報、または１以上の補充情報を印刷するガイド情報提案装置である。
【００２８】
かかる構成により、ガイドブック情報を補充する補充情報を印刷できる。
【発明の効果】
【００２９】
本発明によるガイド情報提案装置によれば、ガイドブック情報を用いて観光地等の情報を提案できる。
【図面の簡単な説明】
【００３０】
【図１】実施の形態１におけるガイド情報提案装置Ａのブロック図
【図２】同ガイド情報提案装置Ａの動作について説明するフローチャート
【図３】同補充元情報取得処理について説明するフローチャート
【図４】同注目オブジェクト取得処理について説明するフローチャート
【図５】同注目オブジェクト決定処理について説明するフローチャート
【図６】同ガイド情報提案装置Ａの動作の概要を示す図
【図７】同地図操作チャンク管理表を示す図
【図８】同ストリートビュー操作チャンク管理表を示す図
【図９】同マップ・ストリートビュー切替操作チャンク管理表を示す図
【図１０】同交通手段判断情報管理表を示す図
【図１１】同コンピュータシステムの概観図
【図１２】同コンピュータシステムのブロック図
【発明を実施するための形態】
【００３１】
以下、ガイド情報提案装置等の実施形態について図面を参照して説明する。なお、実施の形態において同じ符号を付した構成要素は同様の動作を行うので、再度の説明を省略する場合がある。
【００３２】
（実施の形態１）
本実施の形態において、ガイドブック情報を受け付け、ガイドブック情報からオブジェクト情報または領域情報を取得し、ガイドブックを補充する元になる情報である補充元情報を取得し、出力するガイド情報提案装置について説明する。なお、本実施の形態において、補充元情報は、例えば、操作可能な地図情報である。
【００３３】
また、本実施の形態において、ガイドブック情報に重畳させて地図情報を出力するガイド情報提案装置について説明する。
【００３４】
また、本実施の形態において、ウェブ検索を行い、ガイドブック情報を補充する補充情報を取得し、出力するガイド情報提案装置について説明する。
【００３５】
また、本実施の形態において、１以上のオブジェクト情報の種類情報から交通手段を決定し、当該交通手段を用いて、補充情報を取得し、出力するガイド情報提案装置について説明する。
【００３６】
図１は、本実施の形態におけるガイド情報提案装置Ａのブロック図である。
【００３７】
ガイド情報提案装置Ａは、格納部１、受付部２、処理部３、および出力部４を備える。
【００３８】
格納部１は、地図情報格納部１１１、チャンク格納部１１２、および交通手段格納部１１３を備える。
【００３９】
受付部２は、操作受付部２１、および選択受付部２２を備える。
【００４０】
処理部３は、キー情報抽出部３１、補充元情報取得部３２、注目オブジェクト取得部３３、交通手段取得部３５、および補充情報取得部３４を備える。
【００４１】
注目オブジェクト取得部３３は、操作チャンク検出手段３３１、オブジェクト取得手段３３２、関心度取得手段３３３、および注目オブジェクト取得手段３３４を備える。
【００４２】
出力部４は、ガイドブック情報出力部４１、補充元情報出力部４２、および補充情報出力部４３を備える。
【００４３】
格納部１は、各種の情報が格納される。各種の情報とは、例えば、地図情報、チャンク情報、交通手段識別子等である。
【００４４】
地図情報格納部１１１は、地図情報が格納され得る。地図情報は、１以上のオブジェクト総合情報を有する。オブジェクト総合情報は、オブジェクトに関する１以上の情報を含む情報である。オブジェクト総合情報は、オブジェクト情報と位置情報とを有する。オブジェクト総合情報は、オブジェクトの種類を示す種類情報を有しても良い。オブジェクト情報とは、地球上のオブジェクトの情報である。オブジェクト情報は、通常、オブジェクトの名称である。位置情報とは、オブジェクトの位置を示す情報である。種類情報は、例えば、バス停、鉄道駅、観光地、タクシー乗り場、レンタカー屋、駐車場などである。オブジェクトとは、例えば、地点、道路、領域等である。地点とは、通常、地名を示す地点である。当該地点は、例えば、駅、バス停、タクシー乗り場、駐車場、港、空港、店（百貨店、銭湯、自販機、市場、コンビニ、ショッピングモール等）、ビル、ホテル、家、交通物（信号、標識など）、寺、神社、公園、商店街、公共的建造物（ミュージアム、郵便局、銀行、タワー、図書館、警察署、交番、役所）、工場、レジャー施設（遊園地）、学校、病院、歩道橋、橋、教会、道路（高速道路、国道）、観光名所、公園、その他の建造物などある。地点の種類は問わない。また、領域とは、ここでは、例えば、山、川、池、海、湖などである。地図情報は、通常、測量に基づいて作成されたいわゆる測量地図や、実測地図などの情報である。地図情報は、略地図を含まない。また、地図情報は、地図を示す情報であり、通常、地図の画像を含む。画像は、例えば、ラスタデータや、ベクタデータ、カーナビゲーションで用いられるＫＩＷＩフォーマットのものなどである。なお、地図情報のデータ構造は問わないことは言うまでもない。なお、地図情報は、外部のサーバ装置に存在していても良い。かかる場合、略地図出力装置Ａは、地図情報格納部１１１を具備しない。
【００４５】
なお、ガイド情報提案装置Ａは、外部の装置に存在する地図情報を使用しても良い。かかる場合、ガイド情報提案装置Ａは、地図情報格納部１１１を有さなくても良い。
【００４６】
チャンク格納部１１２は、１以上のチャンクが格納される。チャンクとは、ここでは、意味のある操作の集合である。チャンクは、補充元情報への操作列のパターンで表現され得る。また、操作列をチャンクと言っても良い。操作列は、２以上の操作の列である。チャンクには、例えば、地図操作チャンク、ストリートビュー操作チャンク、またはマップ・ストリートビュー切替操作チャンクがある。地図操作チャンクとは、地図情報に対する操作列である。地図操作チャンクは、例えば、地図情報に対する操作列のパターンで表現される。地図情報（地図と言っても良い）への操作を地図操作と言っても良い。ストリートビュー操作チャンクは、ストリートビューに対する操作列である。ストリートビュー操作チャンクは、ストリートビューに対する操作列のパターンで表現される。ストリートビューに対する操作をストリートビュー操作と言っても良い。マップ・ストリートビュー切替操作チャンクは、地図情報に対する１以上の操作およびストリートビューに対する１以上の操作である操作列である。マップ・ストリートビュー切替操作チャンクは、地図情報に対する１以上の操作およびストリートビューに対する１以上の操作である操作列のパターンで表現される。
【００４７】
交通手段格納部１１３は、１以上の交通手段判断情報が格納される。交通手段判断情報は、交通手段を判断するための情報である。交通手段判断情報は、例えば、交通手段を識別する交通手段識別子と１以上の種類情報との組である。交通手段識別子は、例えば、バス、電車、車、タクシー、徒歩などである。また、種類情報は、オブジェクトの種類を示す情報である。また、交通手段判断情報が有する１以上の種類情報は、例えば、１以上のバス停および１以上の観光地である。交通手段判断情報が有する種類情報は、例えば、「１以上の鉄道駅および１以上の観光地」である。交通手段判断情報が有する種類情報は、「１以上のタクシー乗り場および１以上の観光地」である。交通手段判断情報が有する種類情報は、「１以上のレンタカー屋および１以上の観光地」である。交通手段判断情報が有する種類情報は、「１以上の駐車場および１以上の観光地」である。交通手段判断情報が有する種類情報は、「１以上の観光地」のみであっても良い。
【００４８】
受付部２は、指示や情報等を受け付ける。指示や情報等とは、例えば、ガイドブック情報である。ガイドブック情報とは、旅行または観光に関する情報である。ここで、ガイドブック情報とは、紙媒体から取得された画像でも良いし、旅行または観光に関するウェブページ、旅行または観光に関するガイドの電子ブックのページ情報等でも良い。なお、紙媒体から取得された画像は、通常、紙媒体をスキャンして取得された画像である。
【００４９】
受付部２は、ガイドブックをスキャンすることにより、ガイドブック情報を受け付けることは好適である。
【００５０】
受付部２が受け付ける指示や情報等は、１以上の操作情報等である。指示や情報等の入力手段は、スキャナ、キーボード、マウス、メニュー画面によるもの等、何でも良い。受付部２は、キーボード等の入力手段のデバイスドライバーや、メニュー画面の制御ソフトウェア等で実現され得る。また、受付部２は、外部の装置（例えば、図示しない端末装置）から、指示や情報等を受信しても良い。ここでの受け付けとは、スキャナを用いた画像の読み込み、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００５１】
操作受付部２１は、補充元情報に対するユーザの１以上の操作を受け付ける。操作の受け付けとは、操作情報の受け付けと考えても良い。操作情報とは、操作を特定する情報である。補充元情報は、例えば、地図情報、ストリートビュー、ウェブページ等である。また、操作は、例えば、地図情報に対する操作である地図操作、ストリートビューに対する操作であるストリートビュー操作である。
【００５２】
地図操作には、例えば、操作対象の縮尺を変更するズームイン操作［ｉ］、ズームアウト操作［ｏ］、オブジェクトの表示範囲を変更するための移動操作［ｍ］、任意のオブジェクト等を画面中央に移動させてくるセンタリング操作［ｃ］、地図上に地名やその名前が注記されているオブジェクトをセンタリングする操作である注記指定操作［ｓ］がある。また、ストリートビュー操作には、例えば、ズームイン操作［Ｉ］、ズームアウト操作［Ｏ］、移動操作［Ｍ］、周囲確認操作［Ｐ］と高低確認操作［Ｔ］がある。ここで、周囲確認操作［Ｐ］とはストリートビュー上において左右に画面を移動させる操作である。また、高低確認操作［Ｔ］とはストリートビュー上において画面を上下移動させる操作である。なお、ストリートビュー上におけるセンタリング操作はＰ操作とＴ操作が代替しているので、Ｐ操作・Ｔ操作はセンタリングも含む。
【００５３】
選択受付部２２は、後述する補充情報取得部３４が取得した１以上の補充情報に対するユーザの選択を受け付ける。ユーザの選択の入力手段は、問わない。
【００５４】
処理部３は、各種の処理を行う。各種の処理とは、例えば、キー情報抽出部３１、補充元情報取得部３２、注目オブジェクト取得部３３、交通手段取得部３５、補充情報取得部３４等が行う処理である。
【００５５】
キー情報抽出部３１は、ガイドブック情報から１以上のキー情報を抽出する。キー情報とは、オブジェクトを示すオブジェクト情報または領域を示す領域情報である。領域情報とは、領域の名称である。
【００５６】
キー情報抽出部３１は、例えば、ガイドブックがスキャンされて得られた画像であるガイドブック情報を文字認識し、１以上の文字列を取得する。そして、キー情報抽出部３１は、各文字列から１以上の用語を取得する。そして、キー情報抽出部３１は、取得した１以上の用語のうち、地図情報に含まれる１以上のオブジェクト情報、１以上の領域情報を取得する。なお、文字列から１以上の用語を取得する技術は、例えば、形態素解析等の公知技術である。
【００５７】
補充元情報取得部３２は、１以上のキー情報を用いて、補充元情報を取得する。補充元情報とは、ガイドブック情報を補充する元になる情報である。補充元情報は、例えば、地図情報、ストリートビュー、またはウェブページである。また、補充元情報は、後述する補充情報でも良い。
【００５８】
補充元情報取得部３２は、例えば、１以上のキー情報に対応する操作可能な地図情報を取得する。
【００５９】
補充元情報取得部３２は、例えば、キー情報抽出部３１が取得したすべてのキー情報を含まれる領域（この領域を、例えば、「ＭＢＲ(Minimum Bounding Rectangle)」という）の地図情報を取得する。補充元情報取得部３２は、地図情報格納部１１１または図示しない外部の装置から地図情報を取得する。なお、ここでのキー情報は、オブジェクト情報または領域情報である。補充元情報取得部３２は、例えば、各キー情報に対応する２以上の位置情報を地図情報から取得する。そして、補充元情報取得部３２は、例えば、当該２以上の位置情報から、最も西よりの緯度（ｘ１）と最も東よりの緯度（ｘ２）、最も北よりの経度（ｙ１）と最も南よりの経度（ｙ２）を取得し、（ｘ１，ｙ１）（ｘ２，ｙ２）を取得する。つまり、補充元情報取得部３２は、例えば、（ｘ１，ｙ１）（ｘ２，ｙ２）により特定される矩形の範囲の地図情報を取得する。なお、ＭＢＲは、入力された全オブジェクト情報（全地名と言っても良い）を含む最小の矩形である。
【００６０】
補充元情報取得部３２は、オブジェクト情報と当該オブジェクトの位置を示す位置情報とオブジェクトの種類を示す種類情報とを有する１以上のオブジェクト総合情報を有する地図情報から、１以上のキー情報に対応する操作可能な地図情報を取得しても良い。
【００６１】
補充元情報取得部３２は、例えば、キー情報抽出部３１が取得したキー情報のうちの閾値以上の割合のキー情報が含まれる領域の地図情報を取得しても良い。
【００６２】
補充元情報取得部３２は、例えば、１以上のキー情報に対応する１以上の位置情報を地図情報から取得し、当該１以上の位置情報のいずれか１以上の位置情報に対応するストリートビューを取得しても良い。
【００６３】
また、補充元情報取得部３２は、例えば、１以上のキー情報のいずれか１以上をキーとしてウェブ検索を行い、１以上のウェブページを取得しても良い。
【００６４】
注目オブジェクト取得部３３は、１または２以上の操作に基づいて、補充元情報から１以上のオブジェクト情報を取得する。
【００６５】
注目オブジェクト取得部３３は、２以上の操作情報を用いて、補充元情報から２以上の注目オブジェクト情報を取得しても良い。
【００６６】
注目オブジェクト取得部３３は、例えば、操作チャンク検出手段３３１と注目オブジェクト取得手段３３４とを具備し、当該２つの手段により、２以上の操作情報を用いて、補充元情報から２以上の注目オブジェクト情報を取得しても良い。
【００６７】
また、注目オブジェクト取得部３３は、例えば、操作チャンク検出手段３３１、オブジェクト取得手段３３２、関心度取得手段３３３、注目オブジェクト取得手段３３４を具備し、当該４つの手段により、２以上の操作情報を用いて、補充元情報から２以上の注目オブジェクト情報を取得しても良い。
【００６８】
操作チャンク検出手段３３１は、操作受付部２１が受け付けた２以上の操作情報がマッチする操作チャンクをチャンク格納部１１２から検出する。操作チャンク検出手段３３１は、操作受付部２１が受け付けた２以上の操作情報のパターンが、チャンク格納部１１２に格納されている各チャンクに合致するか否かを判断し、合致するチャンクを検出する。なお、チャンクの検出とは、チャンクを識別する識別子を取得することでも良いし、チャンクと対になる情報をチャンク格納部１１２から取得すること等でも良い。また、操作チャンク検出手段３３１が２以上の操作情報がマッチするチャンクを検出しようとするトリガーが問わない。操作チャンク検出手段３３１は、操作が受け付けられる毎に、２以上の操作情報がマッチするチャンクを検出しようとしても良いし、受付部２が補充情報の出力指示を受け付けた場合に、２以上の操作情報がマッチするチャンクを検出しようとする等しても良い。
【００６９】
操作チャンク検出手段３３１は、操作受付部２１が受け付けた２以上の操作情報がマッチする地図操作チャンクを検出しても良い。
【００７０】
操作チャンク検出手段３３１は、操作受付部２１が受け付けた２以上の操作情報がマッチするストリートビュー操作チャンクを検出しても良い。
【００７１】
操作チャンク検出手段３３１は、操作受付部２１が受け付けた２以上の操作情報がマッチするマップ・ストリートビュー切替操作チャンクを検出しても良い。
【００７２】
オブジェクト取得手段３３２は、１以上の補充元情報を用いて、１以上のオブジェクト情報を取得する。オブジェクト取得手段３３２は、例えば、１以上の各補充元情報であり、出力されている範囲の補充元情報の中から、１以上のオブジェクト情報を取得する。ここで、オブジェクト取得手段３３２は、出力されている範囲の補充元情報の中のすべてのオブジェクト情報を取得しても良い。
【００７３】
また、オブジェクト取得手段３３２は、例えば、１以上の各補充元情報であり、出力されている範囲の補充元情報の中から、予め決められた条件を満たす１以上のオブジェクト情報を取得する。ここで、予め決められた条件とは、出力されている範囲に関する範囲条件、出力されている時間に関する時間条件等がある。範囲条件は、例えば、出力されている補充元情報の中心に最も近いこと、出力されている補充元情報の中心から閾値の範囲内であること、出力されている補充元情報のすべて、出力されている補充元情報の中心から、角度情報が示す角度の＋−閾値内（例えば、＋−３０度以内）の扇形状の範囲に存在すること等である。時間条件は、例えば、出力されている時間が閾値以上または閾値より長い補充元情報の中の１以上のオブジェクト情報であることである。また、予め決められた条件は、範囲条件と時間条件を含む２種類以上の条件のＡＮＤ条件でも良い。なお、補充元情報は、例えば、地図情報やストリートビューやウェブページ等である。また、補充元情報は、操作可能な操作対象であることは好適である。また、オブジェクト取得手段３３２が取得したすべてのオブジェクト情報が注目オブジェクト情報でも良い。
【００７４】
関心度取得手段３３３は、１以上の補充元情報への操作の１以上の操作情報を用いて、オブジェクト取得手段３３２が取得した１以上の各オブジェクト情報が示すオブジェクトへの関心度を取得する。１以上の操作情報を用いることは、操作の結果を用いることも含む。また、１以上の操作情報を用いることは、操作しないことを用いることも含む。関心度取得手段３３３は、例えば、操作の結果、出力された補充元情報に含まれる１以上の各オブジェクト情報の関心度を、出力された補充元情報の中心に近いほど高い値に設定する。また、関心度取得手段３３３は、例えば、補充元情報が出力されている時間が長いほど関心度を高い値に設定する。また、関心度取得手段３３３は、例えば、補充元情報が出力されている時間が閾値以上または閾値より長い場合、当該補充元情報の中で出力されている範囲の１以上の各オブジェクト情報の関心度を、「関心あり」と設定する。なお、かかる場合、関心度は、「関心あり」または「関心なし」のいずれかである。また、関心度取得手段３３３は、例えば、操作の結果、出力された補充元情報に含まれる１以上の各オブジェクト情報の関心度を、出力された補充元情報の中心に近いほど、かつ出力されている時間が長いほど高い値に設定する。
【００７５】
関心度取得手段３３３は、画面（補充元情報）の滞留時間、表示画面（補充元情報）の領域、角度情報、経度緯度情報を用いて、オブジェクトの関心度を取得することは好適である。角度情報とは、ストリートビューのカメラの角度の情報である。経度緯度情報とは、位置情報の一例であり、地点の経度と緯度の情報を有する。例えば、画面の滞留が５秒未満であれば関心度が低く，画面の滞留が５秒以上であればユーザはその画面に関する何かしらのオブジェクトに関心を持っているものと考える。そして、関心度取得手段３３３は、例えば、オブジェクトが表示されている画面の滞留時間またはオブジェクトをセンタリングした回数に応じて、関心度を決定する。かかる場合、関心度取得手段３３３は、通常、滞留時間が長いほど、センタリングした回数が多いほど関心度を高く設定する。
【００７６】
また、関心度取得手段３３３は、合致したチャンクに対応付いている関心度を、格納部１から取得しても良い。
【００７７】
注目オブジェクト取得手段３３４は、操作チャンク検出手段３３１が操作チャンクを検出した場合に、出力されている補充元情報に含まれる１以上のオブジェクト情報のうち、予め決められた条件を満たす１以上のオブジェクト情報を取得する。補充元情報に含まれる１以上のオブジェクト情報とは、例えば、地図情報に含まれるオブジェクト情報、ストリートビューに含まれるオブジェクト情報、ウェブページに含まれるオブジェクト情報である。ここでのオブジェクト情報は、注目オブジェクト情報と言っても良い。
【００７８】
注目オブジェクト取得手段３３４は、操作チャンク検出手段３３１が地図操作チャンクを検出した場合に、出力されている地図情報が有する１以上のオブジェクト情報のうち、予め決められた条件を満たす１以上の注目オブジェクト情報を取得する。予め決められた条件を満たす注目オブジェクト情報とは、例えば、出力されている地図上の範囲内であり、中心に最も近い位置情報に対応する一のオブジェクト情報である。また、予め決められた条件を満たす注目オブジェクト情報とは、例えば、出力されている地図上の範囲内であり、中心から閾値以内の位置情報に対応する１以上のオブジェクト情報である。
【００７９】
注目オブジェクト取得手段３３４は、操作チャンク検出手段３３１がストリートビュー操作チャンクを検出した場合に、出力されているストリートビューに写っているオブジェクトの１以上のオブジェクト情報を取得する。注目オブジェクト取得手段３３４は、操作チャンク検出手段３３１がストリートビュー操作チャンクを検出した場合に、例えば、出力されているストリートビューに対応する地図情報が有する１以上のオブジェクト情報のうち、予め決められた条件を満たす１以上の注目オブジェクト情報を取得する。ストリートビューに対応する地図情報とは、通常、ストリートビューから取得される位置情報の位置を含む領域の地図情報である。
【００８０】
注目オブジェクト取得手段３３４は、関心度取得手段３３３が取得した関心度が予め決められた条件を満たすほど大きい１以上のオブジェクトの１以上の注目オブジェクト情報を取得する。
【００８１】
交通手段取得部３５は、注目オブジェクト取得手段３３４が取得した１以上の注目オブジェクト情報に対応する１以上の種類情報を用いて、交通手段格納部１１３から交通手段識別子を取得する。交通手段取得部３５は、例えば、注目オブジェクト取得手段３３４が取得した１以上の各注目オブジェクト情報に対応する１以上の種類情報を地図情報から取得する。そして、交通手段取得部３５は、例えば、当該１以上の種類情報に対応する交通手段識別子を交通手段格納部１１３から取得する。
【００８２】
交通手段取得部３５は、キー情報抽出部３１が抽出した１以上のキー情報に対応する１以上の種類情報を用いて、交通手段格納部１１３から交通手段識別子を取得しても良い。交通手段取得部３５は、例えば、キー情報抽出部３１が抽出した１以上のキー情報に対応する１以上の種類情報を地図情報から取得する。そして、交通手段取得部３５は、例えば、当該１以上の種類情報に対応する交通手段識別子を交通手段格納部１１３から取得する。ここで、交通手段取得部３５は、２以上の交通手段識別子を取得しても良い。
【００８３】
補充情報取得部３４は、注目オブジェクト取得部３３が取得した１以上のオブジェクト情報をキーとして検索し、ガイドブック情報を補充する１以上の補充情報を取得する。ガイドブック情報を補充する補充情報とは、旅行や観光等のために役立つと思われる情報であれば良い。
【００８４】
補充情報取得部３４は、注目オブジェクト取得手段３３４が取得した１以上のオブジェクト情報をキーとして検索し、１以上の補充情報を取得しても良い。ここで、検索とは、通常、ウェブ検索であるが、予め決められたデータベース検索でも良い。
【００８５】
補充情報取得部３４は、選択受付部２２が受け付けた選択に対応する１以上の補充情報を取得しても良い。つまり、最終的な補充情報は、ユーザが選択しても良い。
【００８６】
補充情報取得部３４は、１以上のオブジェクト情報をキーとしてウェブ検索を行い、ウェブページである１以上の補充情報を取得しても良い。
【００８７】
補充情報取得部３４は、交通手段識別子をも用いて、１以上の補充情報を取得することは好適である。補充情報取得部３４は、交通手段識別子をもキーとしてウェブ検索を行い、ウェブページである１以上の補充情報を取得しても良い。
【００８８】
出力部４は、各種の情報を出力する。各種の情報とは、例えば、ガイドブック情報、地図情報、ストリートビュー、ウェブページ、交通手段関連情報、関心度、補充元情報、補充情報等である。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００８９】
ガイドブック情報出力部４１は、受付部２が受け付けたガイドブック情報を出力する。
【００９０】
補充元情報出力部４２は、補充元情報を出力する。補充元情報は、ガイドブック情報に重畳して出力されても良い。重畳して出力されるとは、ガイドブック情報と補充元情報とが、どちらが上に出力されても良い趣旨である。
【００９１】
補充元情報出力部４２は、地図情報、ストリートビュー、ウェブページのうちの１または２種類以上の情報を出力しても良い。
【００９２】
補充情報出力部４３は、１以上の補充情報を出力する。補充情報とは、ガイドとなる情報である。補充情報とは、ガイドブックを補充する情報である。補充情報は、例えば、ウェブページである。
【００９３】
格納部１、地図情報格納部１１１、チャンク格納部１１２、および交通手段格納部１１３は、不揮発性の記録媒体が好適であるが、揮発性の記録媒体でも実現可能である。
【００９４】
格納部１等に情報が記憶される過程は問わない。例えば、記録媒体を介して情報が格納部１等で記憶されるようになってもよく、通信回線等を介して送信された情報が格納部１等で記憶されるようになってもよく、あるいは、入力デバイスを介して入力された情報が格納部１等で記憶されるようになってもよい。
【００９５】
処理部３、キー情報抽出部３１、補充元情報取得部３２、注目オブジェクト取得部３３、交通手段取得部３５、および補充情報取得部３４は、通常、ＭＰＵやメモリ等から実現され得る。処理部３等の処理手順は、通常、ソフトウェアで実現され、当該ソフトウェアはＲＯＭ等の記録媒体に記録されている。但し、ハードウェア（専用回路）で実現しても良い。
【００９６】
出力部４、およびガイドブック情報出力部４１、は、ディスプレイやスピーカー等の出力デバイスを含むと考えても含まないと考えても良い。出力部４は、出力デバイスのドライバーソフトまたは、出力デバイスのドライバーソフトと出力デバイス等で実現され得る。
【００９７】
次に、ガイド情報提案装置Ａの動作について、図２のフローチャートを用いて説明する。
【００９８】
（ステップＳ２０１）受付部２は、ガイドブック情報を受け付けたか否かを判断する。ガイドブック情報を受け付けた場合はステップＳ２０２に行き、ガイドブック情報を受け付けない場合はステップＳ２０１に戻る。
【００９９】
（ステップＳ２０２）ガイドブック情報出力部４１は、ステップＳ２０１で受け付けられたガイドブック情報を出力する。
【０１００】
（ステップＳ２０３）キー情報抽出部３１は、ステップＳ２０１で受け付けられたガイドブック情報から１以上のキー情報を抽出する。
【０１０１】
（ステップＳ２０４）補充元情報取得部３２は、補充元情報を取得する。補充元情報取得処理について、図３のフローチャートを用いて説明する。
【０１０２】
（ステップＳ２０５）補充元情報出力部４２は、ステップＳ２０４で取得された補充元情報を出力する。
【０１０３】
（ステップＳ２０６）操作受付部２１は、ステップＳ２０５で出力された補充元情報（例えば、地図情報）に対して、操作を受け付けたか否かを判断する。操作を受け付けた場合はステップＳ２０７に行き、操作を受け付けない場合はステップＳ２１０に行く。
【０１０４】
（ステップＳ２０７）操作受付部２１は、ステップＳ２０６で受け付けた操作に対応する操作情報を取得する。また、処理部３は、その他の情報を取得しても良い。ここでのその他の情報とは、例えば、操作を行われる前の画面（地図情報またはストリートビューの画面）の滞留時間、角度情報、経緯度情報等のうちの１以上の情報である。角度情報とは、ストリートビューのカメラの角度を特定する情報である。経緯度情報とは、操作を行われた後または操作を行われる前の画面（地図情報またはストリートビューの画面）を代表する１以上の位置情報である。代表する１以上の位置情報は、例えば、画面の中心の位置情報、画面内のオブジェクト情報に対応する１以上の位置情報、画面の範囲を示す２以上の位置情報（例えば、左上の位置情報と右下の位置情報）である。なお、本ステップでは、操作情報等が取得されるが、操作情報等とは、操作情報を含み、０または１以上のその他の情報を含む。また、ストリートビューから角度情報や経緯度情報を取得する処理、地図情報から経緯度情報を取得する処理等は公知技術である。
【０１０５】
（ステップＳ２０８）処理部３は、取得した操作情報に応じて、出力変更された補充元情報を取得する。補充元情報出力部４２は、変更された補充元情報を出力する。本ステップで、例えば、地図情報に対して、ズームイン［ｉ］が入力された場合、当該地図情報をズームインした（縮尺を大きくした）地図情報を出力する。
【０１０６】
（ステップＳ２０９）処理部３は、ステップＳ２０７で取得した操作情報等を、格納部１に少なくとも一時蓄積する。ステップＳ２０６に戻る。
【０１０７】
（ステップＳ２１０）処理部３は、補充情報候補を出力するか否かを判断する。補充情報候補を出力する場合はステップＳ２１１に行き、補充情報候補を出力しない場合はステップＳ２１４に行く。なお、補充情報候補を出力する場合は、例えば、ユーザから補充情報候補出力指示が入力された場合、ステップＳ２０９で蓄積された操作情報等が予め決められた条件に合致した場合（例えば、格納されているいずれかのチャンクに合致する場合）等である。ただし、補充情報候補を出力すると判断する条件は問わない。
【０１０８】
（ステップＳ２１１）注目オブジェクト取得部３３は、１以上の注目オブジェクト情報を取得する。注目オブジェクト取得処理は、図４のフローチャートを用いて説明する。
【０１０９】
（ステップＳ２１２）補充情報取得部３４は、ステップＳ２１１で取得された１以上の注目オブジェクト情報を用いて、補充情報候補を検索する処理を行う。
【０１１０】
（ステップＳ２１３）出力部４は、ステップＳ２１２における検索により取得された１以上の補充情報候補を出力する。ステップＳ２０６に戻る。なお、補充情報出力部４３は、ステップＳ２１２で取得された１以上の補充情報候補を１以上の補充情報として出力しても良い。つまり、ユーザの選択なしに、補充情報が取得されても良い。
【０１１１】
（ステップＳ２１４）選択受付部２２は、ステップＳ２１３で出力された１以上の補充情報候補のうち、１以上の情報の選択をユーザから受け付けたか否かを判断する。受け付けた場合はステップＳ２１５に行き、受け付けない場合はステップＳ２１６に行く。
【０１１２】
（ステップＳ２１５）補充情報取得部３４は、選択を受け付けた補充情報候補に対して、補充情報であることを示すフラグを付与する。ステップＳ２０６に戻る。
【０１１３】
（ステップＳ２１６）処理部３は、１以上の補充情報を出力するか否かを判断する。補充情報を出力する場合はステップＳ２１７に行き、補充情報を出力しない場合はステップＳ２１８に行く。補充情報を出力する場合は、例えば、受付部２が補充情報の出力指示を受け付けた場合、ユーザによる選択が完了したことを検知した場合等である。
【０１１４】
（ステップＳ２１７）補充情報出力部４３は、フラグが付与されている１以上の補充情報候補を、補充情報として出力する。なお、ここでの出力は、印刷であることは好適である。ステップＳ２０６に戻る。
【０１１５】
（ステップＳ２１８）処理部３は、処理を終了するか否かを判断する。処理を終了する場合は処理を終了し、処理を終了しない場合はステップＳ２０６に戻る。なお、例えば、ユーザが終了指示を入力した場合、補充情報出力部４３が補充情報を印刷した場合等に処理は終了する。
【０１１６】
なお、図２のフローチャートにおいて、ステップＳ２０５において、補充元情報を補充情報として出力しても良い。かかる場合、ユーザは補充元情報に対して操作を行わなくても良い。
【０１１７】
次に、ステップＳ２０４の補充元情報取得処理について、図３のフローチャートを用いて説明する。
【０１１８】
（ステップＳ３０１）補充元情報取得部３２は、カウンタｉに１を代入する。
【０１１９】
（ステップＳ３０２）補充元情報取得部３２は、ステップＳ２０３で抽出されたキー情報のうち、ｉ番目のキー情報が存在するか否かを判断する。ｉ番目のキー情報が存在する場合はステップＳ３０３に行き、ｉ番目のキー情報が存在しない場合はステップＳ３０５に行く。
【０１２０】
（ステップＳ３０３）補充元情報取得部３２は、ｉ番目のキー情報に対応する位置情報を地図情報から取得する。
【０１２１】
（ステップＳ３０４）補充元情報取得部３２は、カウンタｉを１、インクリメントする。ステップＳ３０２に戻る。
【０１２２】
（ステップＳ３０５）補充元情報取得部３２は、ステップＳ３０３で取得された１以上の位置情報を用いて、取得する地図情報の範囲を決定する。なお、通常、補充元情報取得部３２は、ステップＳ３０３で取得された１以上の位置情報が示す地点がすべて含まれる範囲を決定する。かかる処理は公知技術である。
【０１２３】
（ステップＳ３０６）補充元情報取得部３２は、ステップＳ３０５で決定した範囲の地図情報を取得する。
【０１２４】
（ステップＳ３０７）補充元情報取得部３２は、ストリートビューを出力するか否かを判断する。ストリートビューを出力する場合はステップＳ３０８に行き、ストリートビューを出力しない場合はステップＳ３１０に行く。なお、例えば、ストリートビューを出力するか否かは予め決められている。また、例えば、ユーザの指示によりストリートビューを出力する。
【０１２５】
（ステップＳ３０８）補充元情報取得部３２は、ステップＳ３０５で決定した範囲から、取得するストリートビューを決定する。なお、補充元情報取得部３２は、例えば、ステップＳ３０５で決定した範囲の中の中心の位置情報を取得する。
【０１２６】
（ステップＳ３０９）補充元情報取得部３２は、ステップＳ３０８で決定したストリートビューを取得する。
【０１２７】
（ステップＳ３１０）補充元情報取得部３２は、ウェブページを出力するか否かを判断する。ウェブページを出力する場合はステップＳ３１１に行き、ウェブページを出力しない場合は上位処理にリターンする。なお、例えば、ウェブページを出力するか否かは予め決められている。また、例えば、ユーザの指示によりウェブページを出力する。
【０１２８】
（ステップＳ３１１）補充元情報取得部３２は、ステップＳ２０３で抽出された１以上のキー情報をキーとして、ウェブ検索を行う。
【０１２９】
次に、ステップＳ２１１の注目オブジェクト取得処理について、図４のフローチャートを用いて説明する。
【０１３０】
（ステップＳ４０１）注目オブジェクト取得部３３は、カウンタｉに１を代入し、カウンタｊに２を代入する。
【０１３１】
（ステップＳ４０２）注目オブジェクト取得部３３は、ｉ番目からｊ番目までの操作情報列を格納部１から取得する。
【０１３２】
（ステップＳ４０３）注目オブジェクト取得部３３は、ステップＳ４０２で、ｉ番目からｊ番目までの操作情報列が取得できたか否かを判断する。取得できた場合はステップＳ４０４に行き、取得できなかった場合は上位処理にリターンする。
【０１３３】
（ステップＳ４０４）操作チャンク検出手段３３１は、カウンタｋに１を代入する。
【０１３４】
（ステップＳ４０５）操作チャンク検出手段３３１は、ｋ番目のチャンクがチャンク格納部１１２に存在するか否かを判断する。ｋ番目のチャンクが存在すれば、存在しなければ
【０１３５】
（ステップＳ４０６）操作チャンク検出手段３３１は、ｉ番目からｊ番目までの操作情報列が、ｋ番目のチャンクのパターンに合致するか否かを判断する。合致する場合はステップＳ４０７に行き、合致しない場合はステップＳ４０９に行く。
【０１３６】
（ステップＳ４０７）注目オブジェクト取得部３３は、ｋ番目のチャンクに対応する注目オブジェクトを決定する。注目オブジェクト決定処理について、図４のフローチャートを用いて説明する。
【０１３７】
（ステップＳ４０８）注目オブジェクト取得部３３は、カウンタｉにｊ＋１を代入し、ｊにｊ＋２を代入する。ステップＳ４０２に戻る。
【０１３８】
（ステップＳ４０９）注目オブジェクト取得部３３は、カウンタｋにｋ＋１を代入する。ステップＳ４０５に戻る。
【０１３９】
（ステップＳ４１０）注目オブジェクト取得部３３は、カウンタｊにｊ＋１を代入する。ステップＳ４０２に戻る。
【０１４０】
なお、図４のフローチャートにおいて、ｉ番目からｊ番目までの操作情報列がすべてのチャンクに合致するか否かを判断し、合致する１または２以上の各チャンクに対応する注目オブジェクトを取得しても良い。
【０１４１】
次に、ステップＳ４０７の注目オブジェクト決定処理について、図５のフローチャートを用いて説明する。
【０１４２】
（ステップＳ５０１）オブジェクト取得手段３３２は、出力されている補充元情報の中の１以上のオブジェクトのオブジェクト情報を取得する。なお、オブジェクト取得手段３３２は、例えば、出力されている地図情報の中の１以上のオブジェクト情報を取得する。また、オブジェクト取得手段３３２は、例えば、出力されているストリートビューの経度緯度情報、角度情報等を用いて、地図情報内での領域を特定し、当該領域の地図情報内の１以上のオブジェクト情報を取得する。
【０１４３】
（ステップＳ５０２）注目オブジェクト取得部３３は、カウンタｉに１を代入する。
【０１４４】
（ステップＳ５０３）注目オブジェクト取得部３３は、ステップＳ５０１で取得したオブジェクト情報のうち、ｉ番目のオブジェクト情報が存在するか否かを判断する。存在する場合はステップＳ５０４に行き、存在しない場合は上位処理にリターンする。
【０１４５】
（ステップＳ５０４）関心度取得手段３３３は、オブジェクト情報に対する関心度を取得するための元になる関心度元情報を取得する。関心度元情報とは、例えば、オブジェクト情報と対になる位置情報、出力中の補充元情報の中心の位置情報、角度情報、オブジェクト情報を含む補充元情報の閲覧時間等である。また、関心度取得手段３３３は、例えば、オブジェクト情報の位置情報が示す位置から中心の位置情報が示す位置までの距離を取得する。なお、かかる距離も関心度元情報である、と考えても良い。
【０１４６】
（ステップＳ５０５）関心度取得手段３３３は、１以上の関心度元情報を用いて、関心度を取得する。関心度取得手段３３３は、例えば、上記の閲覧時間、および距離を用いて、関心度を取得する。なお、例えば、格納部１に、閲覧時間、および距離をパラメータとする関心度の算出関数が管理されており、かかる関数を用いて関心度を算出する。また、関心度の算出関数は、閲覧時間をパラメータとする増加関数であり、距離をパラメータとする減少関数である。また、格納部１に、閲覧時間の幅の情報と関心度との組が２組以上格納されており、関心度取得手段３３３は、取得した閲覧時間に対応する関心度を格納部１から取得する。
【０１４７】
（ステップＳ５０６）注目オブジェクト取得手段３３４は、関心度を用いて、ｉ番目のオブジェクト情報が注目オブジェクト情報であるか否かを判断する。注目オブジェクト情報である場合はステップＳ５０７に行き、注目オブジェクト情報でない場合はステップＳ５０８に行く。なお、注目オブジェクト取得手段３３４は、例えば、関心度が閾値以上のオブジェクト情報のみを注目オブジェクト情報であると判断する。
【０１４８】
（ステップＳ５０７）注目オブジェクト取得手段３３４は、ｉ番目のオブジェクト情報に対して、注目オブジェクトであることを示すフラグを付与する。
【０１４９】
（ステップＳ５０８）注目オブジェクト取得部３３は、カウンタｉを１，インクリメントする。ステップＳ５０３に戻る。
【０１５０】
なお、図５のフローチャートにおいて、また、関心度取得手段３３３は、距離が最小（中心に最も近い）のオブジェクト情報に対してのみ、関心度（例えば、「１」）を付与する。しても良い。
【０１５１】
また、図５のフローチャートにおいて、注目オブジェクト取得部３３は、すべてのオブジェクト情報に対する関心度を取得してから、注目オブジェクト情報を決定しても良い。
【０１５２】
さらに、図５のフローチャートにおいて、注目オブジェクト取得部３３は、関心度を用いずに、注目オブジェクト情報を決定しても良い。例えば、注目オブジェクト取得部３３は、予め決められた条件を満たす１または２以上のオブジェクト情報を注目オブジェクト情報であると判断する。
【０１５３】
以下、本実施の形態におけるガイド情報提案装置Ａの具体的な動作について説明する。まず、ガイド情報提案装置Ａの動作の概要を、図６を用いて説明する。
【０１５４】
旅行者の持つ地理観光情報（例えば、旅行で使用するガイドブック）を、スキャナでスキャンする。図６の６０１は、ユーザの持つガイドブック情報を示している。ガイドブック情報は、ここでは、金閣寺の地図、清水寺の地図、京都のお寺のガイドブックのページなどである。つまり、受付部２が受け付けるガイドブック情報は、２以上でも良い。
【０１５５】
そして、ガイド情報提案装置Ａがガイドブック情報をスキャンする。そして、受付部２は、かかるガイドブック情報を受け付ける。次に、キー情報抽出部３１は、スキャンしたガイドブック情報に対して文字認識し、１以上のオブジェクト情報を取得する。そして、補充元情報取得部３２は、１以上のオブジェクト情報がすべて入る領域を含むＭＢＲとなる地図情報を取得する。なお、ここでの補充元情報は、地図情報である。そして、補充元情報出力部４２は、当該地図情報を表示する。そして、出力部４は、スキャンしたガイドブック情報が有する地図を、地図情報（広域な地図）に重畳・表示させる。かかる出力が６０２である。また、６０２の地図情報は操作可能である。また、６０２の地図情報は、例えば、タッチディスプレイに表示されている、とする。また、処理部３は、受付部２が受け付けたガイドブック情報から、言語を識別し、言語識別子（例えば、英語、日本語）を取得しても良い。そして、補充元情報取得部３２は、かかる言語識別子に合致する言語の補充元情報を取得しても良い。また、補充情報取得部３４も、かかる言語識別子に合致する言語の補充情報を取得することは好適である。
【０１５６】
次に、ユーザは、６０２の地図情報を操作する（６０３）。操作とは、例えば、ズームイン、ズームアウト、移動、センタリング等である。そして、注目オブジェクト取得部３３は、かかる操作の列を分析し、１以上の注目オブジェクト情報を取得する（６０４）。また、交通手段取得部３５は、上述した処理により、交通手段識別子を取得する。そして、補充情報取得部３４は、１以上の注目オブジェクト情報、交通手段識別子を用いて、ウェブ検索を行い、１以上の補充情報候補を取得する。そして、ユーザは、１以上の補充情報候補に対して選択の指示を入力し、補充情報取得部３４は、選択された１以上の補充情報候補を補充情報として取得する。次に、補充情報出力部４３は、１以上の補充情報を出力する。ここで、補充情報出力部４３は、１以上の補充情報を印刷することは好適である。
【０１５７】
次に、ガイド情報提案装置Ａの動作例の詳細について説明する。
【０１５８】
今、ガイド情報提案装置Ａのチャンク格納部１１２には、図７に示す地図操作チャンク管理表、図８に示すストリートビュー操作チャンク管理表、図９に示すマップ・ストリートビュー切替操作チャンク管理表が格納されている、とする。３つの管理表は、「チャンク名」「ユーザ操作」「オブジェクト取得方法」「関心度」の属性値を有する。「チャンク名」はチャンクの名称である。「ユーザ操作」はチャンクに合致するための操作列のパターンである。「ユーザ操作」はチャンクである、と言っても良い。「オブジェクト取得方法」は、オブジェクトの取得方法に関する情報である。「オブジェクト取得方法」は、ここでは、オブジェクトの取得方法を識別する取得方法識別子である。また、取得方法識別子は、プログラム名、関数名、メソッド名等でも良い。「関心度」は、オブジェクト取得方法を用いて取得したオブジェクト情報に対して付与する関心度である。また、図７−図９の「ユーザ操作」において、「＊」は０回以上の繰り返し、「＋」は１回以上の繰り返しを意味する。
【０１５９】
図７の地図操作チャンク管理表における「局所表示チャンク」とは、表示範囲を限定し、ある地点を近傍から確認しようとする操作である。ｍ操作およびｓ操作およびｃ操作によって関心のある地点に近づき、ｉ操作により詳細な確認を行うときの操作列である。ある地点を近傍から確認するということは、その地点に関心があると考えられるので、局所表示された対象物は関心があると考えられる。この際、取得方法識別子は、「最近傍オブジェクト取得（ｃ）」である。取得方法識別子が「最近傍オブジェクト取得（ｃ）」である場合、注目オブジェクト取得部３３は、ｃ操作時の中心点の最近傍オブジェクトの情報を注目オブジェクト情報として取得することである。中心点の最近傍オブジェクトとは、中心点から最も近い位置に存在するオブジェクトである。
【０１６０】
図７の「注記指定チャンク」とは、地名やオブジェクト名など、地図上に記されている注記をユーザがセンタリングする操作である。通常の場合、地図におけるセンタリングは地点に関心があると考えられるが、注記文字が付与されていることにより、その地点ではなく注記文字が付与された対象に関心があると考えられる。この操作はｉ操作により詳細な確認を行った後ｍ操作が０回以上行われ、ｓ操作が行われるときの操作列である。この際、取得方法識別子は、「最近傍オブジェクト取得（ｓ）」である。取得方法識別子が「最近傍オブジェクト取得（ｓ）」である場合、注目オブジェクト取得部３３は、ｓ操作時の中心点の最近傍オブジェクト付与されている地名や名前を注目オブジェクト情報として取得する。
【０１６１】
図７の「移動チャンク」とは、ユーザが地図の表示範囲を移動させる操作である。ユーザが今見ている地点における近傍を見るために移動操作を行う。この操作はユーザが広範囲に地点を見るために行われる操作であるため移動開始地点と移動終了地点の周辺にユーザの関心があると考えられる。この操作はｍ操作を行い、ｍ操作およびｃ操作が０回以上行われるときの操作列である。この操作で生成する略地図の縮尺を考慮する。移動チャンクだけは注目オブジェクト情報を取得する操作列ではない、とする。
【０１６２】
図７の「広域探索チャンク」とは、ユーザが今見ている地点の周辺を見るために、ｏ操作を行った後０回以上のｍ操作が行われ、ｓ操作およびｃ操作を１回以上することでユーザが関心を持った地点を決定する操作である。この際、取得方法識別子は、「最近傍オブジェクト取得（ｓｃ）」である。取得方法識別子が「最近傍オブジェクト取得（ｓｃ）」である場合、注目オブジェクト取得部３３は、s操作およびｃ操作によりセンタリングされた地点の最近傍オブジェクトの情報を注目オブジェクト情報として取得する。
【０１６３】
図７の「絞込チャンク」とは、ユーザが今表示している地点にｉ操作を１回以上行い、新たに表示された詳細な地図の中からユーザの関心がある地点を０回以上のｍ操作の後ｃ操作を１回以上行うことで、関心のある対象の範囲を絞り込んでいく操作である。この際、取得方法識別子は、「最近傍オブジェクト取得（ｃ）」である。取得方法識別子が「最近傍オブジェクト取得（ｃ）」である場合、注目オブジェクト取得部３３は、ｃ操作時の中心点の最近傍オブジェクトの情報を注目オブジェクト情報として取得する。
【０１６４】
図８のストリートビュー操作チャンク管理表における「移動チャンクとは、ある地点から別の地点へ現在地を変更しようとする操作である。Ｍ操作によりこの操作は行われる。移動チャンクだけは注目オブジェクト情報を取得する操作列ではない。
【０１６５】
図８の「周囲確認チャンク」とは、ある地点の周囲を確認する操作である。Ｐ操作およびＴ操作により画面を動かすことで周囲の確認を行う。この操作をすることでユーザはその地点の周囲のオブジェクトの配置関係に関心があると考えられる。この際、取得方法識別子は、「オブジェクト（Ｐ｜Ｔ）」である。取得方法識別子が「オブジェクト（Ｐ｜Ｔ）」である場合、注目オブジェクト取得部３３は、ＰまたはＴ操作時のオブジェクトの情報を注目オブジェクト情報として取得する。
【０１６６】
図８の「地点確認チャンク」とは、ある地点に注目し，その地点を詳細に確認する操作である。この操作は、０回以上Ｐ操作およびＴ操作の後、Ｉ操作をすることで近傍の確認を行う操作である。Ｐ操作およびＴ操作の後のＩ操作によりユーザはＩ操作をしたオブジェクトに関心があると考えられる。この際、取得方法識別子は、「オブジェクト（Ｉ）」である。取得方法識別子が「オブジェクト（Ｉ）」である場合、注目オブジェクト取得部３３は、Ｉ操作時のオブジェクトの情報を注目オブジェクト情報として取得する。
【０１６７】
図８の「高低確認チャンク」とは、ある地点のオブジェクトに注目し、高低を確認しようとする操作である。本操作は、０回以上のＰ操作およびＴ操作の後、Ｔ操作を行い、画面を上下に動かすことで高低確認を行う操作である。Ｔ操作を受けたオブジェクトにユーザの関心があると考えられる。この際、取得方法識別子は、「オブジェクト（Ｔ）」である。取得方法識別子が「オブジェクト（Ｔ）」である場合、注目オブジェクト取得部３３は、Ｔ操作時のオブジェクトを注目オブジェクトとして取得する。
【０１６８】
図９のマップ・ストリートビュー切替操作チャンク管理表における「絶対的地点確認チャンク」とは、マップからストリートビューへ切り替える際に行われる操作列であり、地図上のオブジェクトに関心を持ったユーザがそのオブジェクトをストリートビューで再度見ようとする操作である。地図操作チャンクにおける局所表示チャンクの後、ストリートビューに切り替えて０回以上のＭ操作の後、ストリートビュー操作チャンクである地点確認チャンクを行う際の操作チャンクである。この操作チャンクを行ったユーザは、そのオブジェクトに大きな関心があると考えられる。この際、取得方法識別子は、「オブジェクト（Ｉ）」である。取得方法識別子が「オブジェクト（Ｉ）」である場合、注目オブジェクト取得部３３は、Ｉ操作時のオブジェクトを注目オブジェクトとして取得する。
【０１６９】
図９の「相対的地点確認チャンク」とは、ストリートビューから地図へ切り替える際に行われる操作列であり、ストリートビュー上のオブジェクトに関心を持ったユーザが、そのオブジェクトの位置と、そのオブジェクトと周囲のオブジェクトの位置関係を知るための操作である。ストリートビュー上において０回以上のＭ操作の後、ストリートビュー操作チャンクである地点確認チャンクが行われることによって表示された最後の画面から地図に切り替え、０回以上のｉ操作とｓ操作およびｃ操作が行われるときの操作チャンクである。この操作チャンクを行ったユーザは、注目オブジェクトの位置関係に関心があると考えられる。この際、取得方法識別子は、「全オブジェクト（ｓｃ）」である。取得方法識別子が「全オブジェクト（ｓｃ）」である場合、注目オブジェクト取得部３３は、ｓｃ操作時の、出力されている全ての地図上のオブジェクトの情報を注目オブジェクト情報として取得する。
【０１７０】
図９の「複数地点確認チャンク」とは、ストリートビューから地図へ切り替え、さらにストリートビューに切り替える際に行われる操作列であり、複数の地点を地図上とストリートビューの両方から確認しようとする操作である。ストリートビュー操作チャンクである地点確認チャンクで関心物を確認し、地図に切り替えｏ操作をすることで縮尺を広げｍ 操作の後、０回以上のｍ操作およびｓ操作およびｃ操作で別の関心物を見つける。その後、地図操作チャンクにおける絞り込みチャンクを行うことで別の関心物に注目していき、ストリートビューに切り替え、０回以上のＭ操作の後、Ｐ操作およびＴ操作が行われるときの操作チャンクである。この操作チャンクを行ったユーザは複数の地点にかなりの関心があると考えられる。この際、取得方法識別子は、「オブジェクト（Ｉ），最近傍オブジェクト取得（ｃ）」である。取得方法識別子が「オブジェクト（Ｉ），最近傍オブジェクト取得（ｃ）」である場合、注目オブジェクト取得部３３は、Ｉ操作時のオブジェクトの情報を注目オブジェクト情報として取得し、かつｃ操作時の最近傍オブジェクトの情報を注目オブジェクト情報として取得する。
【０１７１】
次に、上記のチャンク管理表を用いずに、注目オブジェクト取得部３３が、ストリートビューにおける注目オブジェクト情報を取得する方法の例について述べる。なお、ここでの注目オブジェクト情報の取得はストリートビュー上においてＩ操作を含む他の操作が行われなかった時の検出方法である。特定のオブジェクトに対してＩ操作が行われたときは、注目オブジェクト取得部３３は、そのオブジェクトが注目オブジェクトであると判断し、当該オブジェクト情報を注目オブジェクト情報として取得する。つまり、注目オブジェクト取得部３３は、Ｉ操作が行われたときの位置情報を取得し、当該位置情報に対応するオブジェクト情報を、注目オブジェクト情報として取得する。
【０１７２】
また、ストリートビュー上で関心を持ったオブジェクトを見つけたユーザは次に画面に変更を加える際にも大方別の視点から同一オブジェクトを見ると考えられる。このとき角度情報は変化するが、経度緯度情報の変化は少ないと考えられる。すなわち、初めにＡというオブジェクトを見た際に、注目オブジェクト取得部３３は、角度情報、経度緯度情報を取得する。そして、注目オブジェクト取得部３３が、Ａを近傍地点において他の視点から見た画面の角度情報は初回と違っているが、経度緯度情報の変化は少ないということを検知した場合、注目オブジェクト取得部３３は、各々の画面の滞留時間を取得する。そして、各々の画面の滞留時間が閾値以上の場合、注目オブジェクト取得部３３は、Ａを注目オブジェクトと決定し、Ａの注目オブジェクト情報を取得する。
【０１７３】
また、今、交通手段格納部１１３は、図１０に示す交通手段判断情報管理表を格納している、とする。交通手段判断情報管理表は、１以上の交通手段判断情報を有する。交通手段判断情報は、「交通手段識別子」「種類情報条件」を有する。種類情報条件は、１以上の種類情報を含む情報であり、交通手段識別子を取得するための条件である。種類情報条件「バス停＆観光地」は、取得した２以上の種類情報の中に、１以上のバス停および１以上の観光地を含むことを示す。種類情報条件「鉄道駅＆観光地」は、取得した２以上の種類情報の中に、１以上の鉄道駅および１以上の観光地を含むことを示す。種類情報条件「（タクシー乗り場ｏｒレンタカー屋ｏｒ駐車場）＆観光地」は、取得した２以上の種類情報の中に、タクシー乗り場またはレンタカー屋または駐車場を含み、かつ観光地を含むことを示す。種類情報条件「観光地」は、取得した種類情報の中に、１以上の観光地を含むことを示す。
【０１７４】
かかる状況において、ユーザが地理インターフェイスに対する操作を行った、とする。そして、かかる操作は、「祇園四条駅→八坂神社→東大路通にある店→清水寺→清水五条駅」に関心を示すような操作であった、とする。
【０１７５】
次に、操作受付部２１は、かかるユーザ操作から、２以上の操作情報列を取得する。そして、注目オブジェクト取得部３３は、上述した処理により、オブジェクト情報「祇園四条駅」「八坂神社」「東大路通にある店」「清水寺」「清水五条駅」を取得した、とする。
【０１７６】
また、交通手段取得部３５は、「祇園四条駅」「清水五条駅」に対応する種類情報「鉄道駅」と注目オブジェクト情報に対応する種類情報「観光地」とを用いて、図１０に示す交通手段判断情報管理表を参照し、交通手段識別子「電車」を取得した、とする。
【０１７７】
次に、補充情報取得部３４は、オブジェクト情報「祇園四条駅」「八坂神社」「東大路通にある店」「清水寺」「清水五条駅」、交通手段識別子「電車」を用いて、ウェブ検索を行い、１以上の補充情報候補を取得する。そして、出力部４は、１以上の補充情報候補を出力する。
【０１７８】
次に、ユーザは、１以上の補充情報候補のいずれかに対して、選択の指示を入力する。そして、選択受付部２２は選択を受け付ける。次に、補充情報取得部３４は、選択された１以上の補充情報候補を補充情報として取得する。そして、補充情報出力部４３は、１以上の補充情報を出力する。なお、補充情報出力部４３は、１以上の補充情報を印刷して、持ち帰ることができることは好適である。
【０１７９】
以上、本実施の形態によれば、ガイドブック情報を用いて観光地等の情報を提案できる。
【０１８０】
また、本実施の形態によれば、ガイドブック情報からガイドブック情報を補充する元になる情報である補充元情報を出力できる。
【０１８１】
また、本実施の形態によれば、ガイドブック情報を地図情報等の補充元情報に重畳させて出力できる。
【０１８２】
また、本実施の形態によれば、ユーザ操作に基づいて、ガイドブック情報を補充する補充情報を出力できる。
【０１８３】
また、本実施の形態によれば、スキャンされたガイドブック情報を利用できる。
【０１８４】
さらに、本実施の形態において、ガイド情報提案装置Ａは、設置される場所は、例えば、駅、空港、ホテル、コンビニ、街中など、人がたくさん集まる場所であることは好適である。
【０１８５】
なお、本実施の形態における具体例において、図７〜図９のチャンク表において、各チャンクに対応するユーザ操作の情報、オブジェクト取得方法、関心度は一例であることは言うまでもない。
【０１８６】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるガイド情報提案装置Ａを実現するソフトウェアは、以下のようなプログラムである。つまり、このプログラムは、コンピュータを、旅行または観光に関するガイドブック情報を受け付ける受付部と、前記ガイドブック情報からオブジェクトを示すオブジェクト情報または領域を示す領域情報である１以上のキー情報を抽出するキー情報抽出部と、前記１以上のキー情報を用いて、ガイドブック情報を補充する元になる情報である補充元情報を取得する補充元情報取得部と、前記補充元情報を出力する補充元情報出力部として機能させるためのプログラムである。
【０１８７】
上記プログラムにおいて、前記補充元情報取得部は、前記１以上のキー情報に対応する操作可能な地図情報を取得し、前記補充元情報出力部は、前記地図情報を出力するものとして、コンピュータを機能させるためのプログラムであることは好適である。
【０１８８】
上記プログラムにおいて、コンピュータを、前記ガイドブック情報を出力するガイドブック情報出力部としてさらに機能させ、前記補充元情報出力部は、前記ガイドブック情報に重畳させて前記地図情報を出力するものとして、コンピュータを機能させるためのプログラムであることは好適である。
【０１８９】
上記プログラムにおいて、前記補充元情報取得部は、前記１以上のキー情報である１以上のオブジェクト情報または１以上の領域情報がすべて含まれる領域の地図の地図情報を取得し、前記補充元情報出力部は、前記地図情報を出力するものとして、コンピュータを機能させるためのプログラムであることは好適である。
【０１９０】
上記プログラムにおいて、前記補充元情報に対するユーザの１以上の操作を受け付ける操作受付部と、前記１以上の操作に基づいて、前記補充元情報から１以上のオブジェクト情報を取得する注目オブジェクト取得部と、前記注目オブジェクト取得部が取得した１以上のオブジェクト情報をキーとして検索し、ガイドブックを補充する１以上の補充情報を取得する補充情報取得部と、前記１以上の補充情報を出力する補充情報出力部として、コンピュータをさらに機能させるためのプログラムであることは好適である。
【０１９１】
上記プログラムにおいて、コンピュータがアクセス可能な記録媒体は、前記補充元情報に対する２以上の操作である操作列のパターンである１以上のチャンクが格納されるチャンク格納部を具備し、前記注目オブジェクト取得部は、前記操作受付部が受け付けた２以上の操作情報がマッチする操作チャンクを検出する操作チャンク検出手段と、前記操作チャンク検出手段が前記操作チャンクを検出した場合に、出力されている補充元情報に含まれる１以上のオブジェクト情報のうち、予め決められた条件を満たす１以上のオブジェクト情報を取得する注目オブジェクト取得手段とを具備し、前記補充情報取得部は、前記注目オブジェクト取得手段が取得した１以上のオブジェクト情報をキーとして検索し、ガイドブックを補充する１以上の補充情報を取得するものとして、コンピュータを機能させるためのプログラムであることは好適である。
【０１９２】
上記プログラムにおいて、コンピュータを、前記補充情報取得部が取得した１以上の補充情報に対する、ユーザの選択を受け付ける選択受付部としてさらに機能させ、前記補充情報取得部は、前記選択受付部が受け付けた選択に対応する１以上の補充情報を出力するものとして、コンピュータを機能させるためのプログラムであることは好適である。
【０１９３】
上記プログラムにおいて、前記補充情報取得部は、前記１以上のオブジェクト情報をキーとしてウェブ検索を行い、ウェブページである１以上の補充情報を取得するものとして、コンピュータを機能させるためのプログラムであることは好適である。
【０１９４】
上記プログラムにおいて、前記補充元情報取得部は、オブジェクトを示すオブジェクト情報と当該オブジェクトの位置を示す位置情報とオブジェクトの種類を示す種類情報とを有する１以上のオブジェクト総合情報を有する地図情報から、前記１以上のキー情報に対応する操作可能な地図情報を取得し、記録媒体は、交通手段を識別する交通手段識別子と１以上の種類情報との組である１以上の交通手段判断情報が格納される交通手段格納部を具備し、コンピュータを、前記注目オブジェクト取得手段が取得した１以上のオブジェクト情報に対応する１以上の種類情報、または前記キー情報抽出部が抽出した１以上のキー情報に対応する１以上の種類情報、と対になる交通手段識別子を取得する交通手段取得部としてさらに機能させ、前記補充情報取得部は、前記交通手段識別子をも用いて、１以上の補充情報を取得するものとして、コンピュータを機能させるためのプログラムであることは好適である。
【０１９５】
上記プログラムにおいて、前記受付部は、ガイドブックをスキャンすることにより、ガイドブック情報を受け付けるものとして、コンピュータを機能させるためのプログラムであることは好適である。
【０１９６】
上記プログラムにおいて、前記補充元情報取得部、または前記補充情報出力部は、前記１以上の補充元情報、または前記１以上の補充情報を印刷するものとして、コンピュータを機能させるためのプログラムであることは好適である。
【０１９７】
また、図１１は、本明細書で述べたプログラムを実行して、上述した種々の実施の形態のガイド情報提案装置Ａ等を実現するコンピュータの外観を示す。上述の実施の形態は、コンピュータハードウェア及びその上で実行されるコンピュータプログラムで実現され得る。図１１は、このコンピュータシステム３００の概観図であり、図１２は、システム３００のブロック図である。
【０１９８】
図１０において、コンピュータシステム３００は、ＣＤ−ＲＯＭドライブを３０１２含むコンピュータ３０１と、キーボード３０２と、マウス３０３と、モニタ３０４と、スキャナ３０５とを含む。
【０１９９】
図１２において、コンピュータ３０１は、ＣＤ−ＲＯＭドライブ３０１２と、ＭＰＵ３０１３と、バス３０１４と、ＲＯＭ３０１５と、ＲＡＭ３０１６と、ハードディスク３０１７とを含む。ＲＯＭ３０１５は、ブートアッププログラム等のプログラムを記憶している。ＲＡＭ３０１６は、ＭＰＵ３０１３に接続され、アプリケーションプログラムの命令を一時的に記憶するとともに一時記憶空間を提供する。ハードディスク３０１７は、通常、アプリケーションプログラム、システムプログラム、及びデータを記憶している。ここでは、図示しないが、コンピュータ３０１は、さらに、ＬＡＮへの接続を提供するネットワークカードを含んでも良い。
【０２００】
コンピュータシステム３００に、上述した実施の形態のガイド情報提案装置Ａ等の機能を実行させるプログラムは、ＣＤ−ＲＯＭ３１０１に記憶されて、ＣＤ−ＲＯＭドライブ３０１２に挿入され、さらにハードディスク３０１７に転送されても良い。また、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２０１】
プログラムは、コンピュータ３０１に、上述した実施の形態のガイド情報提案装置Ａ等の機能を実行させるオペレーティングシステム（ＯＳ）、またはサードパーティープログラム等は、必ずしも含まなくても良い。プログラムは、制御された態様で適切なモジュールを呼び出し、所望の結果が得られるようにする命令の部分のみを含んでいれば良い。コンピュータシステム３００がどのように動作するかは周知であり、詳細な説明は省略する。
【０２０２】
なお、上記プログラムを実行するコンピュータは、単数であってもよく、複数であってもよい。すなわち、集中処理を行ってもよく、あるいは分散処理を行ってもよい。
【０２０３】
また、上記各実施の形態において、各処理（各機能）は、単一の装置（システム）によって集中処理されることによって実現されてもよく、あるいは、複数の装置によって分散処理されることによって実現されてもよい。
【０２０４】
本発明は、以上の実施の形態に限定されることなく、種々の変更が可能であり、それらも本発明の範囲内に包含されるものであることは言うまでもない。
【産業上の利用可能性】
【０２０５】
以上のように、本発明にかかるガイド情報提案装置は、ガイドブック情報を用いて観光地等の情報を提案できるという効果を有し、駅や空港等に設置されるガイド支援端末等として有用である。
【符号の説明】
【０２０６】
１  格納部
２  受付部
３  処理部
４  出力部
２１  操作受付部
２２  選択受付部
３１  キー情報抽出部
３２  補充元情報取得部
３３  注目オブジェクト取得部
３４  補充情報取得部
３５  交通手段取得部
４１  ガイドブック情報出力部
４２  補充元情報出力部
４３  補充情報出力部
１１１  地図情報格納部
１１２  チャンク格納部
１１３  交通手段格納部
３３１  操作チャンク検出手段
３３２  オブジェクト取得手段
３３３  関心度取得手段
３３４  注目オブジェクト取得手段
【図１】
2018025886.tif 000003
【図２】
2018025886.tif 000004
【図３】
2018025886.tif 000005
【図４】
2018025886.tif 000006
【図５】
2018025886.tif 000007
【図６】
2018025886.tif 000008
【図７】
2018025886.tif 000009
【図８】
2018025886.tif 000010
【図９】
2018025886.tif 000011
【図１０】
2018025886.tif 000012
【図１１】
2018025886.tif 000013
【図１２】
2018025886.tif 000014